(57)【要約】【課題】  画像を効果的に投影する。【解決手段】  可撓性シート状のキャンバスを前後方向の少なくとも一方へ張り出すオーニングユニット２０と、該オーニングユニット２０の少なくとも一部に画像を投影するプロジェクタＡ２とを具備した。【選択図】  図１
2017172289.tif 000002
【特許請求の範囲】
【請求項１】
可撓性シート状のキャンバスを前後方向の少なくとも一方へ張り出すオーニングユニットと、該オーニングユニットの少なくとも一部に画像を投影するプロジェクタとを具備したことを特徴とするオーニング設置構造。
【請求項２】
前記プロジェクタは、その投影方向を前記キャンバスに向けた状態で設けられていることを特徴とする請求項１記載のオーニング設置構造。
【請求項３】
前記オーニングユニットは、前記キャンバスと、前記キャンバスを後方側で巻き取るキャンバス巻取装置と、前記キャンバスの前端側を支持するように横幅方向へ連続する支持前枠と、基端側が前記キャンバス巻取装置側の不動部位に支持されその先端側により前記支持前枠を前後移動可能に支持する支持アームと、前記支持前枠に横幅方向へわたって垂下状に設けられた前幕とを備え、
前記プロジェクタは、その投影方向を前記前幕に向けた状態で設けられていることを特徴とする請求項１又は２記載のオーニング設置構造。
【請求項４】
横幅方向の両側に立設した二組の支持ユニットと、これら二組の支持ユニットの上端側間にわたって接続された前記オーニングユニットとを備え、
前記オーニングユニットよりも下側に、前記二組の支持ユニットの間にわたる補助バーが設けられ、該補助バーに前記プロジェクタが支持されていることを特徴とする請求項１乃至３何れか１項記載のオーニング設置構造。
【請求項５】
前記プロジェクタは、前記オーニングユニットにおいて角度の異なる二以上の面に投影方向を向けて設けられていることを特徴とする請求項１乃至４何れか１項記載のオーニング設置構造。
【発明の詳細な説明】
【技術分野】
【０００１】
本発明は、可撓性シート状のキャンバスを張り出すようにしたオーニング設置構造に関するものである。
【背景技術】
【０００２】
従来、この種の発明には、例えば特許文献１に記載されるように、横幅方向へ間隔を置いて地面等に立設された二組の固定柱及び昇降柱と、固定柱の下端側を支持するベース及び補助脚と、前記ベースに設けられた車輪と、各昇降柱に支持された支持アームと、横幅方向両側の支持アームの前端部間に接続された支持レールと、二組の前記昇降柱間に支持されたロール装置と、このロール装置から繰出されてその前端側が前記支持レールに止着された日よけ（キャンバス）とを備えた自立型オーニングが知られている。
この従来技術によれば、日よけを任意の場所に容易に設置することができる上、不要になった際には、支持アームを折畳んで日よけをロール装置に巻取り、昇降柱を収縮させ、補助脚を折り畳んで、コンパクトな収納態様にすることができる。
【先行技術文献】
【特許文献】
【０００３】
【特許文献１】特開２０１２−２５１３２８号公報
【発明の概要】
【発明が解決しようとする課題】
【０００４】
ところで、例えば、オリンピック等の国際スポーツ大会や、コンサートなど、大勢の人が集まる野外会場に前記自立型オーニングを設置した場合、日差しや雨等を避けてキャンバスの下方側に集まった人達が、競技者や演奏者のズームアップ画像を間近で見ることができるように、前記自立型オーニングの近くに大型ディスプレイ装置等を設置することが提案される。
しかしながら、前記大型ディスプレイ等を設置する場合、大勢の人が同時に画像を視認できるようにすることが要求され、その配置や設置スペース等が問題になる。
【課題を解決するための手段】
【０００５】
このような課題に鑑みて、本発明は、以下の構成を具備するものである。
可撓性シート状のキャンバスを前後方向の少なくとも一方へ張り出すオーニングユニットと、該オーニングユニットの少なくとも一部に画像を投影するプロジェクタとを具備したことを特徴とするオーニング設置構造。
【発明の効果】
【０００６】
本発明は、以上説明したように構成されているので、画像を効果的に投影することができる。
【図面の簡単な説明】
【０００７】
【図１】オーニング装置及びオーニング設置構造の一例を示す斜視図であり、一方の前幕に画像を投影している状態を示す。
【図２】同オーニング装置の側面図であり、一方の前幕と第１のキャンバスに画像を投影している状態を示す。
【図３】同オーニング装置の平面図である。
【図４】同オーニング装置の側面図であり、（ａ）はキャンバスを収納した状態を示し、（ｂ）は支持ユニットを収縮させた状態を示す。
【図５】同オーニング装置の側面図であり、二本の支柱を閉じて、オーニングユニットを取り外した状態を示す。
【図６】オーニングユニットを示す拡大側面図である。
【図７】上柱の一例について長手方向を横向きにして示す図であり、（ａ）と（ｂ）は平面と正面の関係にある。
【図８】着脱ブラケットの一例を示し、（ａ）は側面図であり、（ｂ）は中央寄り部分を省略した正面図である。
【図９】巻取体に両方のキャンバスを巻き付けた状態を示す要部斜視図である。
【発明を実施するための形態】
【０００８】
以下、図面を参照しながら本発明の実施形態を説明する。以下、異なる図における同一符号は略同一の構成を示しており、重複する説明は適宜省略する。
【０００９】
図１は、本発明に係るオーニング設置構造Ａの一例を示す。
【００１０】
このオーニング設置構造Ａは、オーニング装置Ａ１と、オーニング装置Ａ１に画像Ｘ（静止画、動画及び音声付画像等を含む）を投影するプロジェクタＡ２とを具備している（図１及び図２参照）。
【００１１】
オーニング装置Ａ１は、横幅方向の両側に立設した二組の支持ユニット１０，１０と、これら二組の支持ユニット１０，１０の上端側間にわたって接続されて前後方向の両方へ可撓性シート状のキャンバス２１を張り出すオーニングユニット２０と、二組の支持ユニット１０，１０の間にわたる補助バー３１．３１とを備え、二組の支持ユニット１０，１０によって自立するように構成されている。
【００１２】
支持ユニット１０は、上端側を互いに回転自在に接続するとともに下端側を前記前後方向へ離間させて拡げた状態の二本の支柱１１，１１と、これら二本の支柱１１，１１の下端側間にわたって着脱可能に接続された開度規制部材１２と、各支柱１１の下端側に支持された転動機構１３とを備える。
【００１３】
各支柱１１は、上柱１１ａと、該上柱１１ａの下端側にスライド可能に接続された下柱１１ｂと、各下柱１１ｂ内に固定された錘体１１ｃとを具備している。
なお、同支持ユニット１０を構成する一方の支柱１１と他方の支柱１１は、左右対称に構成され、図７に示す支柱１１は、オーニング装置Ａ１の左側面に向かって右側のものである。
【００１４】
各上柱１１ａは、内部が中空の角柱状部材である。
各支柱１１ａの上端側と下端側には、それぞれ、他方の上柱１１ａ側へ突出するように接続片部１１ａ１，１１ａ２が固定されている（図７参照）。
また、各上柱１１ａの上端寄りであって、接続片部１１ａ１よりも下側には、他方の支持ユニット１０側へ突出するように接続片部１１ａ３が固定されている。
【００１５】
同支持ユニット１０を構成する一方の上柱１１ａは、その接続片部１１ａ１を他方の上柱１１ａの接続片部１１ａ１に対し重ね合せている。この重ね合わせ部分には、軸状部材（例えばボルト等）が挿通される。したがって、一方の上柱１１ａは、他方の上柱１１ａに対し、前記軸状部材を中心にして回転可能である。
【００１６】
また、一方の上柱１１ａにおける下側の接続片部１１ａ１は、他方の上柱１１ａに下側の接続片部１１ａ１に対し、開度規制部材１２を介して接続される。
開度規制部材１２は、左右の上柱１１ａにおける下側の接続片部１１ａ１間に略水平状に接続された棒状の部材である。この開度規制部材１２の一端側と他端側は、着脱可能な止着具１４（例えば、周知の手回しボルト及びナット等）によって接続片部１１ａ１に対し着脱可能に接続される。
【００１７】
また、各上柱１１ａの中途部分に設けられた接続片部１１ａ３（図７参照）は、横幅方向の他方の支持ユニット１０における同側の上柱１１ａの接続片部１１ａ３に対し、補助バー３１を介して接続される。
補助バー３１は、左右両側の支持ユニット１０，１０間にわたって連続する長尺な角柱状部材である。この補助バー３１の端部側は、ボルトやナット等の止着具によって、対応する上柱１１ａの接続片部１１ａ１に接続される。
この補助バー３１は、各支持ユニット１０を構成する二つ上柱１１ａに対応するように二本設けられる。これら二本の補助バー３１は、当該オーニング装置Ａ１全体の剛性を高め、左右の支持ユニット１０が横幅方向へ揺さぶられるようなことを防ぐ。
【００１８】
また、二本の補助バー３１，３１の間には、必要に応じて、プロジェクタＡ２等の補助機材を設置するための取付ブラケット３２が設けられる。
取付ブラケット３２は、二本の補助バー３１，３１間にわたる枠状あるいは棒状等の部材であり、補助バー３１の長手方向の中央寄りや、端寄り等、長尺状の補助バー３１に対し部分的に設けられる。この取付ブラケット３２は、設置される補助機材の数や大きさ等に応じて、単数もしくは複数設けられる。
【００１９】
下柱１１ｂは、上柱１１ａよりも略肉厚分だけ外形の小さい角柱状の部材であり、上柱１１ａの下端側に挿入される。これら上柱１１ａと下柱１１ｂには、着脱可能な止着具１４（例えば、周知の手回しボルト及びナット等）が挿通され締付けられている。
詳細に説明すれば、下柱１１ｂの上端側には、前記止着具１４を挿通するための貫通孔が、長手方向に間隔を置いて複数設けられている。これら複数の貫通孔が選択的に用いられることで、上柱１１ａと下柱１１ｂの重なり量、及び支柱１１全体の長さが調整されるようになっている。
なお、同支持ユニット１０における二本の下柱１１ｂ，１１ｂ間には、開度規制部材等、これら両下柱１１ｂ，１１ｂを固定する部材を設けていない。
【００２０】
錘体１１ｃは、鉄等の比較的高重量な金属材料により、角柱状に形成される。この錘体１１ｃは、各支柱１１内の下部寄りに挿入され、支持ユニット１０の下半部の重量を増加している。
この錘体１１ｃの重量は、オーニング装置Ａ１が強風を受けて倒れたりすることのないように適宜に設定される。
なお、図示例によれば、錘体１１ｃの上端側に貫通孔が設けられ、この貫通孔に挿通された止着具１４（例えば、手回しボルト等）が、上柱１１ａ及び下柱１１ｂにも挿通されるようになっている。
【００２１】
また、転動機構１３は、車輪、回転軸、方向変換軸、ブレーキ機構等を具備し、各下柱１１ｂを地面や床面等に沿って自在に移動させたり、該移動にブレーキをかけたりする周知の機構である。この転動機構１３は、キャスターと呼称される場合もある。
【００２２】
また、オーニングユニット２０は、両側の支持ユニット１０，１０に対し着脱可能に装着される着脱ブラケット２１と、前方へ張り出される第１のキャンバス２２と、後方へ張り出される第２のキャンバス２３と、これら第１及び第２のキャンバス２２，２３の双方をこれらの中央側で単一の巻取体２４ａに巻き取るキャンバス巻取装置２４と、第１のキャンバス２２の先端側を支持して横幅方向へ連続する第１の支持前枠２５と、第２のキャンバス２３の先端側を支持して横幅方向へ連続する第２の支持前枠２６と、基端側がキャンバス巻取装置２４側の不動部位（側板２１ｂ）に支持されその先端側により第１の支持前枠２５を前後移動可能に支持する第１の支持アーム２７と、基端側がキャンバス巻取装置２４側の不動部位（側板２１ｂ）に支持されその先端側により第２の支持前枠２６を前後移動可能に支持する第２の支持アーム２８とを備えている。
【００２３】
着脱ブラケット２１は、横幅方向へ連続する支持バー２１ａと、該支持バー２１ａの長手方向の一端側と他端側にそれぞれ固定された側板２１ｂとから一体的に構成され（図８参照）、各側板２１ｂを、支持ユニット１０の二本の支柱１１，１１に対し、止着具１５（例えば、ボルトとナット等）によって着脱可能に接続している。
【００２４】
第１及び第２のキャンバス２２，２３の各々は、プロジェクタースクリーンとして併用可能な無地の可撓性シート材を平面視略矩形状に裁断したものである。
これら第１及び第２のキャンバス２２，２３の材質は、例えば、ガラスクロスやシリカクロス等の難燃性布地や、フッ素加工を施した塩化ビニル樹脂シート材、ガラス繊維を含んだ合成樹脂シート材等、耐火性（難燃性を含む）を有する可撓性シート材料、その他のプロジェクタースクリーン用シート材等とすることが可能である。
これら第１のキャンバス２２と第２のキャンバス２３は、一枚のシート材を二つ折りにしたものであり、その折目部分を、キャンバス巻取装置２４の巻取体２４ａの外周に止着し、それぞれ、先端部を、第１の支持前枠２５と第２の支持前枠２６に止着している。
なお、他例としては、第１のキャンバス２２と第２のキャンバス２３をそれぞれ別体のシート材とすることも可能である。
【００２５】
キャンバス巻取装置２４は、回転操作軸２４ｂに加えられる手動の回転力を、ウォームギヤ機構（図示せず）により単一の巻取体２４ａに伝達し、該巻取体２４ａを巻き取り方向及び繰出し方向へ回転させるようにした装置である（図６参照）。
すなわち、このキャンバス巻取装置２４によれば、回転操作軸２４ｂを一方向へ回転させれば、巻取体２４ａが一方向へ回転し、第１のキャンバス２２及び第２のキャンバス２３が両方とも巻取体２４ａから繰り出され、回転操作軸２４ｂを逆方向へ回転させれば、巻取体２４ａも逆方向へ回転し、第１のキャンバス２２及び第２のキャンバス２３が両方とも巻取体２４ａに巻き取られる。
なお、このキャンバス巻取装置２４の他例としては、電動で巻取体２４ａを一方向と他方向へ回転させる構造とすることも可能である。
【００２６】
第１の支持前枠２５と第２の支持前枠２６は、それぞれ、第１のキャンバス２２と第２のキャンバス２３の横幅方向の略全長にわたる略筒状の部材であり、金属材料や合成樹脂材料等の硬質材料から構成される。
これら第１の支持前枠２５と第２の支持前枠２６の各々の内部には、前幕４１を巻取体４２に巻き取ったり繰り出したりする前幕巻取装置４０が設けられる。
【００２７】
前幕４１は、第１及び第２のキャンバス２２，２３と同様に、プロジェクタースクリーンとして併用可能な無地の可撓性シート材を平面視略矩形状に裁断したものであり、第１の支持前枠２５（又は第２の支持前枠２６）に沿う横幅方向へわたって垂下状に設けられる。
この前幕４１の上端側は、巻取体４２の外周部に止着される。また、前幕４１の下端側には、横幅方向へ連続する棒状の錘体４３が止着されている。
【００２８】
前幕巻取装置４０は、キャンバス巻取装置２４と同様に、回転操作軸４４に加えられる手動の回転力を、ウォームギヤ機構（図示せず）により巻取体４２に伝達し、該巻取体４２を巻き取り方向及び繰出し方向へ回転させるようにした装置である。
この前幕巻取装置４０によれば、回転操作軸４４を一方向へ回転させれば、巻取体４２が一方向へ回転し、前幕４１が巻取体４２から繰り出され、回転操作軸４４を逆方向へ回転させれば、巻取体４２も逆方向へ回転し、前幕４１が巻取体４２に巻き取られる。
なお、この前幕巻取装置４０の他例としては、電動で巻取体４２を一方向と他方向へ回転させる構造とすることも可能である。
【００２９】
そして、第１の支持前枠２５と第２の支持前枠２６は、それぞれ、第１の支持アーム２７と第２の支持アーム２８の前端部によって支持される。
第１の支持アーム２７は、第１の支持前枠２５を支持するように複数（図３の例示によれば二つ）設けられる。各第１の支持アーム２７は、着脱ブラケット２１の一方の側板２１ｂ（不動部位）に対し、略水平方向へ回動するように枢支された後アーム２７ａと、後アーム２７ａの前端側部分に対し略水平方向へ回動するように枢支された前アーム２７ｂとから一体的に構成される。これら後アーム２７ａと前アーム２７ｂは、内在する付勢部材（図示しないコイルスプリング等）によって、伸長（展開）する方向へ付勢されている。
同様に、第２の支持アーム２８は、第２の支持前枠２６を支持するように複数（図３の例示によれば二つ）設けられる。各第２の支持アーム２８は、着脱ブラケット２１の他方の側板２１ｂ（不動部位）に対し、略水平方向へ回動するように枢支された後アーム２８ａと、後アーム２８ａの前端側部分に対し略水平方向へ回動するように枢支された前アーム２８ｂとから一体的に構成される。これら後アーム２８ａと前アーム２８ｂは、内在する付勢部材（図示しないコイルスプリング等）によって、伸長（展開）する方向へ付勢されている。
【００３０】
また、プロジェクタＡ２は、画像Ｘを大型スクリーンに投射する周知の装置である。このプロジェクタＡ２は、２画面同時投影機能を有しており、角度の異なる二つの面に、同時に画像Ｘを投影するように、その投影方向を向けている。図２に示す一例によれば、プロジェクタＡ２は、前幕４１と第１のキャンバス２２の二つの面に、その投影方向を向けている。
【００３１】
なお、図中、符号１６は、支持ユニット１０の上部側の隙間を覆う化粧板であり、図１以外の図面では省略している。
また、図中、符号２１ｄは、第１のキャンバス２２と第２のキャンバス２３の間の隙間を覆う棟包み板である。
また、図中、符号２１ｅは、棟包み板２１ｄを支持する支持ブラケットである。この支持ブラケット２１ｅは、支持バー２１ａの長手方向に間隔を置いて複数設けられている。
その他、支持ユニット１０には、必要に応じて、化粧板等が適宜止着される。
【００３２】
よって、上記構成のオーニング設置構造Ａ及びオーニング装置Ａ１によれば、図１及び図２に示すように、横幅方向の両側において、それぞれ、二本の支柱１１からなる支持ユニット１０が、略ハの字状に立設してオーニングユニット２０を支持する。このため、第１のキャンバス２２、第２のキャンバス２３及び前幕４１が風で煽られたり、支持ユニット１０に人が凭れ掛かったりしたとしても、支持ユニット１０が容易に変形するようなことがない。
また、プロジェクタＡ２によって、第１のキャンバス２２及び前幕４１等の複数の面に、画像Ｘを投影することができる。
なお、例えば、前幕４１をプロジェクタ用の透過型スクリーンにより構成すれば、前幕４１に投影される画像Ｘを、前幕４１の両面側でもって視認することができる。
【００３３】
次に、上記構成のオーニング装置Ａ１を収納する作業について説明する。
先ず、オーニング装置Ａ１からプロジェクタＡ２、吊持部材３３及び取付ブラケット３２等が取り外される。
【００３４】
次に、図４（ａ）（ｂ）に示すように、各支柱１１が収縮される。詳細に説明すれば、上柱１１ａにおける下側の止着具１４が一時的に抜かれ、上柱１１ａを下方へスライドするようにして、上柱１１ａ内へ下柱１１ｂを挿入してゆき、各支柱１１の全長を縮める。この収縮の際、両側の下柱１１ｂ，１１ｂは、それぞれ、転動機構１３を被載置面Ｂに沿って移動させて、水平方向の間隔を狭める。
この後、一時的に抜かれていた止着具１４が元の位置に戻される。すなわち、止着具１４は、上柱１１ａの下部側、下柱１１ｂの下部側及び錘体１１ｃの下部側に貫通挿入され、締め付けられる（図４（ｂ）参照）。
【００３５】
次に、収縮状態の両支柱１１，１１（図４（ｂ）参照）から、一時的に開度規制部材１２が外される。この開度規制部材１２は、両側の止着具１４を一旦抜くことで、容易に外すことができる。
そして、開度規制部材１２が外れた状態の支柱１１，１１は、図５に示すように、閉じられる。
閉じた支柱１１，１１は、接続片部１１ａ２，１１ａ２が重ね合わせられ、さらに、これら接続片部１１ａ２，１１ａ２に、外された開度規制部材１２の一端側が重ね合わせられる。そして、これら接続片部１１ａ２，１１ａ２及び開度規制部材１２に、止着具１４が挿入され締め付けられる。
よって、接続片部１１ａ２，１１ａ２及び開度規制部材１２は、図５に示すように、閉じられた状態で一体状に構成される。
【００３６】
次に、支柱１１，１１の上端側の止着具１５が緩められ外され、支柱１１，１１の上端側からオーニングユニット２０が外される（図５参照）。
外されたオーニングユニット２０は、地面や床面等に載置すればよい。
なお、オーニングユニット２０を支柱１１，１１から外す順番は、支柱１１，１１の下端側を閉じる前であってもよい。
【００３７】
よって、支持ユニット１０，１０とオーニングユニット２０を、背丈の低いコンパクトな収納態様にすることができる。
【００３８】
なお、上記実施の形態によれば、横幅方向両側の支持ユニット１０，１０は分離しない収納態様としたが、他例としては、補助バー３１を外し両側の支持ユニット１０，１０を分離して、よりコンパクトな収納態様とすることも可能である。
【００３９】
また、上記実施の形態によれば、後アーム２７ａ（又は２８ａ）と前アーム２７ｂ（又は２８ｂ）の曲げ及び展開により支持アーム２７（又は２８）全体が収縮するようにしたが、支持アームの他例としては、支柱１１と同様に、内外に重なり合う筒状部材のスライドにより全体が収縮する態様とすることも可能である。
さらに、支持アームの他例としては、後端側を不動部位に枢支するとともにその前端側により第１の支持前枠２５（又は第２の支持前枠２６）を枢支した一本のアームとすることも可能である。
【００４０】
また、上記実施の形態によれば、前幕４１を巻き取ったり繰出したりする態様としたが、他例としては、前幕巻取装置４０を省いて、支持前枠２５（又は２６）に対し、前幕４１を単に止着した態様とすることも可能である。さらに他例としては、上記実施の形態から前幕４１及び前幕巻取装置４０を省いた態様とすることも可能である。
【００４１】
また、上記実施の形態によれば、プロジェクタＡ２により第１のキャンバス２２と前幕４１の２画面に画像を同時投影するようにしたが、他例としては、前幕４１と第１のキャンバス２２と第２のキャンバス２３等、３画面以上に画像を同時投影するようにしてもよい。
【００４２】
また、上記実施の形態によれば、単一のプロジェクタＡ２によって複数画面を同時投影するようにしたが、他例としては、画面毎に対応する複数のプロジェクタを備え、これら複数のプロジェクタにより、複数の画面を同時投影するようにしてもよい。
【００４３】
また、上記実施の形態によれば、支持ユニット１０，１０に一体的にプロジェクタＡ２を設けるようにしたが、他例としては、例えば、床面や地面に載置された基台上にプロジェクタＡ２を設置する等、支持ユニット１０，１０とは別体にプロジェクタＡ２を設け、このプロジェクタＡ２からオーニング装置Ａ１に対し、画像を投影することも可能である。
【００４４】
また、上記実施の形態によれば、第１のキャンバス２２や前幕４１に対しプロジェクタＡ２によって画像を投影するようにしたが、他例としては、第１の支持アーム２７や第２の支持アーム２８、第１の支持前枠２５や第２の支持前枠２６、支持ユニット１０等に対し、プロジェクタＡ２によって画像を投影することも可能である。
【００４５】
また、上記実施の形態によれば、補助機材としてプロジェクタＡ２を具備した態様としたが、補助機材の他例としては、照明や、ミスト装置、音響装置、これらを適宜に組み合わせた装置等を具備することも可能である。
【００４６】
また、上記実施の形態によれば、特に好ましい態様として、前後方向の両方へキャンバス２２，２３を張り出す態様としたが、他例としては、何れか一方のキャンバス、支持前枠、前幕巻取装置、前幕及び支持アーム等を省いて、前後方向の一方のみへキャンバスを張り出す態様とすることも可能である。
【００４７】
また、上記オーニング設置構造Ａは、特に好ましい態様として、自立型のオーニング装置Ａ１に対しプロジェクタＡ２によって画像を投影するようにしたが、このオーニング設置構造Ａの他例としては、建物の開口部等に設置された固定式のオーニング装置に対しプロジェクタＡ２によって画像を投影する態様とすることも可能である。
【００４８】
また、本発明は上述した実施の形態に限定されず、本発明の要旨を変更しない範囲で適宜変更可能である。
【符号の説明】
【００４９】
１０：支持ユニット
１１：支柱
１１ａ：上柱
１１ｂ：下柱
１２：開度規制部材
１３：転動機構
１４，１５：止着具
２０：オーニングユニット
２１：着脱ブラケット
２１ａ：支持バー
２１ｂ：側板
２２：第１のキャンバス
２３：第２のキャンバス
２４：キャンバス巻取装置
２５：第１の支持前枠
２６：第２の支持前枠
２７：第１の支持アーム
２８：第２の支持アーム
３１：補助バー
３２：取付ブラケット
４０：前幕巻取装置
Ａ：オーニング設置構造
Ａ１：オーニング装置
Ａ２：プロジェクタ
【図１】
2017172289.tif 000003
【図２】
2017172289.tif 000004
【図３】
2017172289.tif 000005
【図４】
2017172289.tif 000006
【図５】
2017172289.tif 000007
【図６】
2017172289.tif 000008
【図７】
2017172289.tif 000009
【図８】
2017172289.tif 000010
【図９】
2017172289.tif 000011